(57)【要約】【課題】床面や壁面に付着した付着物を、出来るだけ検査対象面に残すことなくより確実に、かつ効率的に採取するための付着物検査試料回収装置及び該装置用超音波ホーンを提供すること。【解決手段】  ホーン部２２の外周部分にガイド部材２５を設け、ホーン部２２の前端部２２ａの中央に供給兼排出口２２ｂを設け、該供給兼排出口２２ｂを中心にテーパ状に構成されていることにより、確実に付着物５６を検査対象面である床面５５から剥離して回収溶液７と混合させ、さらに確実に回収溶液７を床面５５から回収するものである。【選択図】  図２
2006132993.tif 000002
【特許請求の範囲】
【請求項１】
検査対象部に付着している付着物に、回収溶液を所定量供給するための回収溶液供給手段と、前記付着物および前記回収溶液に、超音波を所定時間照射して前記付着物を前記検査対象部から剥離させるための超音波洗浄手段と、前記付着物と前記回収溶液が混合された排出液体を回収するための排出液体回収手段とを備えている付着物検査試料回収装置において、
前記超音波洗浄手段は、前記超音波を発生させるための超音波振動子部と、前記超音波振動子部を所定の条件で発振させる超音波発振制御部と、前記超音波振動子部の先端に設けられ、前記超音波振動子部の波動を伝搬するホーン部とからなり、
前記ホーン部の下端面の中央を中心として、テーパ状の傾斜面が設けられていること
を特徴とする付着物検査試料回収装置。
【請求項２】
前記ホーンの下端面の中心に回収溶液の供給及び排出を行う供給兼排出孔を単数又は複数設けたこと
を特徴とする請求項１記載の付着物検査試料回収装置。
【請求項３】
前記ホーン部の外周には、円筒状で上面と下面が開放されたガイド部材が前記ホーン部から所定の距離離間し、かつ、前記ホーン部を包むように設けられていること
を特徴とする請求項１又は請求項２記載の付着物検査試料回収装置。
【請求項４】
前記ホーン部の下端面は、該下端面の中心から外周に向けて曲線及び／又は直線状に切り欠かれた溝部が単数又は複数設けられていること
を特徴とする請求項１乃至請求項３の何れか１に記載の付着物検査試料回収装置。
【請求項５】
前記ホーン部の下端面は、螺旋形状に形成されていること
を特徴とする請求項１乃至請求項３の何れか１に記載の付着物検査試料回収装置。
【請求項６】
前記排出液体回収手段は、断続的に吸引を行うことによって前記排出液体を回収すること
を特徴とする請求項１乃至請求項５の何れか１に記載の付着物検査試料回収装置。
【請求項７】
検査対象部に付着している付着物を採取するための付着物検査試料回収装置用超音波ホーンであって、
前記ホーン部の下端面の中央を中心として、テーパ状の傾斜面が設けられていること
を特徴とする超音波ホーン。
【請求項８】
前記ホーンの下端面の中心に回収溶液の供給及び排出を行う供給兼排出孔を単数又は複数設けたこと
を特徴とする請求項７記載の超音波ホーン。
【請求項９】
前記ホーン部の外周には、円筒状で上面と下面が開放されたガイド部材が前記ホーン部から所定の距離離間し、かつ、前記ホーン部を包むように設けられていること
を特徴とする請求項７又は請求項８記載の超音波ホーン。
【請求項１０】
前記ホーン部の下端面は、該下端面の中心から外周に向けて曲線及び／又は直線状に切り欠かれた溝部が単数又は複数設けられていること
を特徴とする請求項７乃至請求項９の何れか１に記載の超音波ホーン。
【請求項１１】
前記ホーン部の下端面は、螺旋形状に形成されていること
を特徴とする請求項７乃至請求項９の何れか１に記載の超音波ホーン。
【請求項１２】
検査対象部に付着している付着物に、回収溶液を所定量供給するための回収溶液供給手段と、前記付着物および前記回収溶液に、超音波を所定時間照射して前記付着物を前記検査対象部から剥離させるための超音波洗浄手段と、前記付着物と前記回収溶液が混合された排出液体を回収するための排出液体回収手段とを備えている付着物検査試料回収装置において、
前記超音波洗浄手段は、前記超音波を発生させるための超音波振動子部と、前記超音波振動子部を所定の条件で発振させる超音波発振制御部と、前記超音波振動子部の先端に設けられ、前記超音波振動子部の波動を伝搬するホーン部とからなり、
前記ホーンの下端面の中心に回収溶液の供給及び排出を行う供給兼排出孔を単数又は複数設けたこと
を特徴とする付着物検査試料回収装置。
【請求項１３】
前記ホーン部の外周には、円筒状で上面と下面が開放されたガイド部材が前記ホーン部から所定の距離離間し、かつ、前記ホーン部を包むように設けられていること
を特徴とする請求項１２記載の付着物検査試料回収装置。
【請求項１４】
前記ホーン部の下端面は、該下端面の中心から外周に向けて曲線及び／又は直線状に切り欠かれた溝部が単数又は複数設けられていること
を特徴とする請求項１２又は請求項１３に記載の付着物検査試料回収装置。
【請求項１５】
前記ホーン部の下端面は、螺旋形状に形成されていること
を特徴とする請求項１２乃至請求項１４の何れか１に記載の付着物検査試料回収装置。
【請求項１６】
前記排出液体回収手段は、断続的に吸引を行うことによって前記排出液体を回収すること
を特徴とする請求項１２乃至請求項１４の何れか１に記載の付着物検査試料回収装置。
【請求項１７】
検査対象部に付着している付着物を採取するための付着物検査試料回収装置用超音波ホーンであって、
前記ホーンの下端面の中心に回収溶液の供給及び排出を行う供給兼排出孔を単数又は複数設けたこと
を特徴とする超音波ホーン。
【請求項１８】
前記ホーン部の外周には、円筒状で上面と下面が開放されたガイド部材が前記ホーン部から所定の距離離間し、かつ、前記ホーン部を包むように設けられていること
を特徴とする請求項１７記載の超音波ホーン。
【請求項１９】
前記ホーン部の下端面は、該下端面の中心から外周に向けて曲線及び／又は直線状に切り欠かれた溝部が単数又は複数設けられていること
を特徴とする請求項１７又は請求項１８に記載の超音波ホーン。
【請求項２０】
前記ホーン部の下端面は、螺旋形状に形成されていること
を特徴とする請求項１７乃至請求項１９の何れか１に記載の超音波ホーン。
【発明の詳細な説明】
【技術分野】
【０００１】
本発明は、検査対象面に付着している付着物を採取するための付着物検査試料回収装置及び該装置用超音波ホーンに関する。特に、放射性物質取扱施設や、医療施設等の床面や壁面に付着した付着物を、出来るだけ検査対象面に残すことなくより確実に、かつ効率的に採取するための付着物検査試料回収装置及び該装置用超音波ホーンに関する。
【背景技術】
【０００２】
放射性物質使用施設では、安全性確保のために放射性物質による表面汚染状況の検査が義務づけられている。また、病院や福祉施設など、特に清潔でクリーンな環境が求められる場所では抗菌対策に注意を払うことが重要な要素となる。このような場所の床に付着した菌類（細菌類、及びカビなどの真菌類を指す）をサンプリングし、菌の種類や菌数を調査することが感染を防止する上で重要である。
【０００３】
上記汚染状況の検知手法や、上記床面に付着した菌類のサンプリング方法の一つとして、特許文献１に記載の如く、壁面や床面に付着した付着物に回収溶液を供給するとともに超音波洗浄し、洗浄の終わった排出液体を排出液体タンク部に吸引回収して付着物を採取する付着物検査試料回収装置が存在する。
【０００４】
図７は、特許文献１に係る従来の付着物検査試料回収装置の概要を示す全体説明図、図８は、図７に示す付着物検査試料回収装置の超音波洗浄部を示す図、図９は、図８に示す超音波洗浄部の底面図である。
【０００５】
従来の付着物検査試料回収装置５１は、回収溶液を供給するための回収溶液供給手段６０と、液体を超音波洗浄する超音波洗浄手段７０と、洗浄した排出液体を排出液体タンク部（排出液体貯留部）８２に回収するための排出液体回収手段８０と、各手段を制御する制御部９０からなる。
【０００６】
回収溶液供給手段６０は、回収溶液を貯留している回収溶液タンク部６２と、この回収溶液タンク部６２内の回収溶液を所定量（例えば、５ｃｃ）供給するための回収溶液供給部（例えば、供給ポンプ部）６１とからなり、供給管路６３を介して超音波洗浄部７０ａに回収溶液を供給している。
【０００７】
排出液体回収手段８０は、図８に示す付着物５６と回収溶液とが混合された排出液体を回収するための排出液体吸引部（例えば、排出ポンプ部）８１と、吸引回収された排出液体を貯留するための排出液体タンク部８２とからなり、超音波洗浄部７０ａから排出管路８３を介して排出している。
【０００８】
超音波洗浄手段７０は、超音波を発生する超音波振動子部７１と、この超音波振動子部７１を所定の周波数および所定の振幅で発振させるための超音波発振制御部７４と、超音波振動子部７１の先端に設けられたホーン部７２とからなる。超音波振動子部７１には、圧電効果、磁気歪効果等を利用して超音波を発生させる振動子が内蔵されている。
【０００９】
超音波振動子部７１で発振した波動は、ホーン部７２に伝搬し、ホーン部７２の前端部７２ａから超音波が付着物５６に照射され、強固な汚れが剥離洗浄される。即ち、床面５５から付着物５６を剥離させるとともに、回収溶液と混合させる。また、超音波発振制御部２４においては、超音波の振幅を調整することが可能となる。
【００１０】
ホーン部７２の外側には給排液ケース７３が設けられている。即ち、給排液ケース７３はホーン部７２の鍔部を挟み込むようにボルトで固定されている。超音波振動子部７１、ホーン部７２、給排液ケース７３は、一体に固定されており、超音波洗浄部７０ａを形成している。給排液ケース７３の内周面には円弧状の給排溝７３ａが一つまたは複数箇所（この例では、４箇所）形成されている。この給排溝７３ａには、供給管路６３または排出管路８３が接続されている。給排液ケース７３の下端にはパッキン７５が設けられている。すなわち、床面５５と超音波洗浄部７０ａとが密着できるようになる。このことにより、排出液体吸引部８１を稼動させたとき、排出液体を吸引できるようになる。
【００１１】
【特許文献１】特開２００４−２７１１８３号公報
【発明の開示】
【発明が解決しようとする課題】
【００１２】
しかしながら、従来の付着物検査試料回収装置５１は、図８に示すように床面５５近傍においては、空気等の対流によって微風が吹いている場合が多々あり、ホーン部７２の外側に設けられた給排溝７３ａを通じて回収溶液の供給を行うと床面５５近傍の微風の影響を受け、ホーン部７２の直下に回収溶液を安定した状態で供給することが出来ず、洗浄状態が悪化し、洗浄効率が低下するといった課題が存在した。
【００１３】
また、回収溶液を介して床面５５と接触するホーン部７２の前端部７２ａは、液膜を均一にして確実に回収溶液を回収するべく、前端部７２ａが、床面５５と平行になることが望まれるが、前端部７２ａが傾いてしまうと回収溶液の液膜が均一にならないため、回収溶液が床面に残留してしまう場合が存在した。
【００１４】
さらに、回収溶液の供給と回収は、ホーン部７２の外側に設けられた給排液ケース７３の給排溝７３ａを通じてなされるため、排出管路８３から距離がある部分における回収溶液の回収が不十分である場合が存在した。
【００１５】
そこで、本発明は、上記従来技術に鑑みてなされたものであって、放射性物質取扱施設や、医療施設等の床面や壁面に付着した付着物を、検査対象面に残すことなく確実に、かつ効率的に採取するための付着物検査試料回収装置及び該装置用超音波ホーンを提供することを目的とするものである。
【課題を解決するための手段】
【００１６】
本発明による付着物検査試料回収装置は、検査対象部に付着している付着物に、回収溶液を所定量供給するための回収溶液供給手段と、前記付着物および前記回収溶液に、超音波を所定時間照射して前記付着物を前記検査対象部から剥離させるための超音波洗浄手段と、前記付着物と前記回収溶液が混合された排出液体を回収するための排出液体回収手段とを備えている付着物検査試料回収装置において、前記超音波洗浄手段は、前記超音波を発生させるための超音波振動子部と、前記超音波振動子部を所定の条件で発振させる超音波発振制御部と、前記超音波振動子部の先端に設けられ、前記超音波振動子部の波動を伝搬するホーン部とからなり、前記ホーン部の下端面の中央を中心として、テーパ状の傾斜面が設けられている。
【００１７】
また、本発明による付着物検査試料回収装置の前記ホーンは、下端面の中心に回収溶液の供給及び排出を行う供給兼排出孔を単数又は複数設けたものである。
【００１８】
また、本発明による付着物検査試料回収装置の前記ホーン部の外周には、円筒状で上面と下面が開放されたガイド部材が前記ホーン部から所定の距離離間し、かつ、前記ホーン部を包むように設けられている。
【００１９】
また、本発明による付着物検査試料回収装置の前記ホーン部の下端面は、該下端面の中心から外周に向けて曲線及び／又は直線状に切り欠かれた溝部が単数又は複数設けられている。
【００２０】
また、本発明による付着物検査試料回収装置の前記ホーン部の下端面は、螺旋形状に形成されている。
【００２１】
また、本発明による付着物検査試料回収装置の前記排出液体回収手段は、断続的に吸引を行うことによって前記排出液体を回収する。
【００２２】
本発明による付着物検査試料回収装置は、検査対象部に付着している付着物に、回収溶液を所定量供給するための回収溶液供給手段と、前記付着物および前記回収溶液に、超音波を所定時間照射して前記付着物を前記検査対象部から剥離させるための超音波洗浄手段と、前記付着物と前記回収溶液が混合された排出液体を回収するための排出液体回収手段とを備えている付着物検査試料回収装置において、前記超音波洗浄手段は、前記超音波を発生させるための超音波振動子部と、前記超音波振動子部を所定の条件で発振させる超音波発振制御部と、前記超音波振動子部の先端に設けられ、前記超音波振動子部の波動を伝搬するホーン部とからなり、前記ホーンの下端面の中心に回収溶液の供給及び排出を行う供給兼排出孔を単数又は複数設けたものである。
【発明の効果】
【００２３】
本発明によれば、ホーン部の外周部分にガイド部材を設け、ホーン部の前端部の中央に供給兼排出孔を設け、供給兼排出孔を中心にテーパ状に構成されていることにより、安定した回収溶液の液膜を床面に形成可能であり、確実に付着物を床面から剥離して回収溶液と混合させ、さらに確実に回収溶液を床面から回収することができる。
【発明を実施するための最良の形態】
【００２４】
以下図面を参照して、本発明による付着物検査試料回収装置及び該装置用超音波ホーンの実施の形態について説明する。なお、図７乃至図８に示す従来の付着物検査試料回収装置と同一の構成及び機能を有するものについては、同じ符号を用いて説明する。
【００２５】
図１は、本発明による付着物検査試料回収装置の実施の形態の概要を示す全体図、図２は、ホーン部、脚部及びガイド部材の部分拡大図、図３（ａ）は、本発明による超音波ホーン部の正面図、（ｂ）は（ａ）の左側面図、（ｃ）は（ａ）に係るホーン部の底面図、（ｄ）は、（ｃ）の他の実施例を示す図、図４は、従来の付着物検査試料回収装置用超音波ホーン部と本発明による超音波ホーン部の傾斜した場合の対比図、図５は、使用時におけるホーン部、脚部及びガイド部材の部分拡大図、図６は、図５の他の実施例を示す図である。
【００２６】
本発明による付着物検査試料回収装置１は、図１及び図２からも明らかなように、ホーン部２２の外周部分にガイド部材２５を設け、ホーン部２２の前端部２２ａの中央に供給兼排出口２２ｂを設け、該供給兼排出口２２ｂを中心にテーパ状に構成されていることにより、確実に付着物５６を検査対象面である床面５５から剥離して回収溶液７と混合させ、さらに確実に回収溶液７を床面５５から回収するものである。
【００２７】
本発明による付着物検査試料回収装置１は、回収溶液を供給するための回収溶液供給手段１０と、液体を超音波洗浄する超音波洗浄手段と、洗浄した排出液体を排出液体タンク部（排出液体貯留部）３２に回収するための排出液体回収手段３０と、各手段を制御する制御部９０からなる。
【００２８】
回収溶液供給手段１０は、回収溶液タンク部１２と、回収溶液供給部（例えば、供給ポンプ部）６１とからなり、供給管路１３を介して供給兼排出管路４３へと接続され、最終的に超音波洗浄部７０ａに回収溶液７を供給している。
【００２９】
排出液体回収手段３０は、排出液体吸引部（例えば、排出ポンプ部）３１と、排出液体タンク部３２とからなり、超音波洗浄部２０ａから供給兼排出管路４３へと接続され、さらに排出管路３３を介して排出している。即ち、供給管路１３及び排出管路３３はともに、供給兼排出管路４３に接続されて、該供給兼排出管路４３を共用しているものである。
【００３０】
超音波洗浄手段は、超音波振動子部２１と、超音波発振制御部７４と、超音波振動子部２１の先端に設けられたホーン部２２とからなる。
【００３１】
超音波振動子部２１で発振した波動は、ホーン部２２に伝搬し、ホーン部２２の前端部２２ａから超音波が付着物５６に照射され、強固な汚れが剥離洗浄される。即ち、床面５５から付着物５６を剥離させるとともに、回収溶液７と混合させる。また、超音波発振制御部７４においては、超音波の振幅を調整することが可能となる。
【００３２】
ホーン部２２の下端面である前端部２２ａは、超音波振動子部２１において発振された超音波の振幅が最大、即ち、超音波の波動の腹が当たる位置に設けられ、図２及び図３からも明らかなように、その中心に供給兼排出管路４３に接続される供給兼排出孔２２ｂが設けられている。供給兼排出口孔２２ｂは、供給兼排出管路４３に接続されて、回収溶液７の床面５５への供給及び回収溶液７の床面５５からの回収を行うものである。供給兼排出孔２２ｂが、ホーンの前端部２２ｂの中央に設けられたことにより、回収溶液７を供給して液膜を形成する場合に、供給兼排出孔２２ｂを中心に円形状に液膜を形成することが可能であり、回収溶液７の表面張力、床面５５の状態、ホーンの前端部２２ａの形状（角度）等によって変化する回収溶液７の液膜の変化を最小限にすることが可能であり、安定した形状で回収溶液７の液膜を形成することが可能である。また、回収溶液７の回収時には、回収溶液７の供給と排出の兼ねる供給兼排出孔２２ｂから排出を行うため、供給と反対の流れで回収溶液７が回収され、最適な回収が可能となる。
【００３３】
また、ホーンの前端部２２ａの中心に設けられた供給兼排出孔２２ｂは、単数のみならず、ホーンの前端部２２ａの中心近傍に複数設けることにより、複数の回収溶液７（洗浄液）を床面５５に供給することも可能であり、その場合においては、回収溶液の種類等に応じて、複数の供給兼排出管路４３を設ける。また、回収溶液７は、１種類であっても、ホーン部２２の内部等で、供給兼排出孔２２ｂを分岐させることにより、複数の供給兼排出孔２２ｂを設け、各々の孔の角度等をホーン部２２の外周に向けること等により、回収溶液７の外周方向への広がりや、回収の確実性を高めることも可能である。
【００３４】
また、図２及び図３からも明らかなように、ホーン部２２の中央（供給兼排出口２２ｂ）を中心として、テーパ状の傾斜面が設けられている。傾斜角度Ｘは（図３参照）、床面５５に対して、０°≦Ｙ＜１０°の範囲が望ましい。ホーン部２２の中央を中心として、テーパ状の傾斜面が設けられることにより、回収溶液７の供給時における安定した液膜の形成、超音波洗浄時の付着物５６の床面５５からの確実な剥離及び回収溶液７の排出時における確実な排出を行うものである。
【００３５】
即ち、図４に示すように床面５５に対してホーンの前端部２２ａの平行関係に乱れが生じた場合において、ホーン部２２の中央を中心として、テーパ状の傾斜面を設けた場合には、ホーンの前端面２２ａが従来の如く平面状の形状の場合に対して床面５５からホーンの前端部２２ａまでの最大距離が半分の範囲になる。従って、回収溶液７の均一、かつ、安定した供給、洗浄効率の向上による付着物５６の確実な剥離、回収溶液７の確実な回収が可能となる。図４に示すように、ホーン部２２の直径を２D、床面５５に対するホーンの前端部２２ａの最大距離をＸ及び床面５５に対するホーンの前端部２２ａの傾斜角をＡとすると以下の関係が成り立つ。
傾斜形状のホーン端面の場合  Ｘ＝  Ｄｓｉｎ（Ａ）
平面形状のホーン端面の場合  Ｘ＝２Ｄｓｉｎ（Ａ）
従って、ホーン部２２の中央を中心として、テーパ状の傾斜面を設けた場合には、従来の如く平面状の形状の場合に対して床面５５からホーンの前端部２２ａまでの最大距離Ｘが半分の範囲になり、確実に回収容器７の供給、付着物５６の剥離及び回収溶液７の回収が可能となる。
【００３６】
また、ホーン中央の供給兼排出孔２２ｂから回収溶液７を吸引・回収する場合、ホーンの前端部２２ａにおいては、吸引・回収を進めるにつれて、回収溶液７が、ホーン部２２の内部に吸引されて、ホーンの前端面２２ａと床面５５の間の回収溶液７の量は少なくなるものの、床面５５との距離が少なければ少ないほど回収溶液を吸引する機能は高くなるため、ホーン部２２の中央を中心として、テーパ状の傾斜面が設けられることにより、最適な状況で吸引・回収が可能となる。
【００３７】
また、ホーン部２２は、図３（ｃ）に示す如く前端部２２ａにおいて、中心（供給兼排出口２２ｂ）から外周に向けて曲線状に切り欠かれた溝部２２ｃが設けられている。該溝部２２ｃは、回収溶液７の回収時に、回収溶液７の床面５５への残留を防止するために設けられるものである。回収溶液７の回収時に風速や風量が一定化し、安定してしまうと、回収溶液７の表面張力、床面５５の状態、ホーンの前端部２２ａの形状（角度）等の状況によっては、一部の回収溶液７のみが回収され、他の回収溶液７が回収されない場合が想定されるが、溝部２２ｃの存在によって、床面５５とホーンの前端部２２ａの間の気体の流れを活性化して、即ち、気体の流れに乱れ（風速、風量の変化）を生じさせて、確実に回収溶液７を回収するものである。従って、回収溶液７の回収を確実に行うべく、床面５５とホーンの前端部２２ａの間の気体の流れを活性化することが可能であれば、溝部２２ｃの形状は、直線状等の適宜の形状であってもよく、さらには、図３（ｄ）に示すようにホーンの前端部２２ａの形状自体を螺旋形状に形成してもよい。
【００３８】
図１、図２及び図５に示すようにホーン部２２の外周には、円筒状で上面と下面が開放されたガイド部材２５がホーン部２２から所定の距離離間し、かつ、ホーン部２２を包むように設けられている。超音波振動子部２１、ホーン部２２、ガイド部材２５は、一体に固定されて、超音波洗浄部２０ａを形成している。ガイド部材２５は、接続部材２５ｂによってホーン部２２のフランジ部２２ｄにボルト等（図示せず）を介して接続されているものである。接続部材２５ｂは、ホーン部２２に接触するため、超音波振動に与える影響を最小限に押さえるべく、シリコンのパッキン等（図示せず）を介して、フランジ部２２ｄに接続される。また、ガイド部材２５の下端部２５ｃは、ホーン部２２の前端部２２ａより、下方に位置するように設けられ、かつ、ガイド部材２５の下端部２５ｃが床面５５に対して完全に密着するように接続部材２５ｂ等に可撓性を有する樹脂や、バネ等を使用することにより、ガイド部材２５への付勢を行う。また、ガイド部材２５の下端部２５ｃが床面５５に完全に密着すればよいので、下端部２５ｃにゴム等の可撓性を有する部材を装着することによっても可能である。
【００３９】
上面が開放され、下端部２５ｃが床面５５に密着するガイド部材２５の存在により、図５の矢印に示すような風の流れが回収溶液７の回収時に発生する。即ち、回収溶液７の表面張力や、床面５５の状態により、一定の送風による吸引・回収では十分に回収溶液７を回収できない場合が発生するが、ガイド部材２５の存在により、ホーンの供給兼排出孔２２ｂの中心から離れた部分の回収溶液７をホーンの前端部２２ａの中心方向に押し出す風の流れが作られ、回収溶液７を確実に回収することが可能となる。特に、ガイド部材２５から床面５５に向かう空気の流れが、床面５５に衝突することで渦のような送風の変化を起こし、その付近の回収溶液７を大きく移動させ、ホーンの前端部２２ａの中心部（供給兼排出孔２２ｂ）に向かわせることとなり、送風の変化を起こして安定した状態にある回収溶液７を流動させることで、吸引・回収の方向に回収溶液７の流れを変えることが可能となり、確実な吸引・回収が可能となる。また、ホーン部２２の外周にガイド部材２５が設けられることにより、ホーンの前端部２２ａの中心に設けられた供給兼排出孔２２ｂから供給される回収溶液７に対して、床面５５の近傍を流れる微風の影響を受けることを防止でき、確実な作業が可能となる。
【００４０】
また、図６示すように、ガイド部材２５の内端部２５ａを、下方に向かってその径を減少させる構成とすることによって、さらなる送風の変化を起こし、回収溶液７の確実な回収を行うことができる。即ち、ホーン部２２の外側面とガイド部材２５の内端部２５ａの距離を下方に向こうにつれて減少させることにより、風速をさらに強化することが可能であり、回収溶液７を大きく移動させ、ホーンの前端部２２ａの中心部（供給兼排出孔２２ｂ）に向かわせることとなり、確実な吸引・回収が可能となる。
【００４１】
また、図１及び図２に示すようにガイド部材２５のさらに外側には、ホーンの前端部２２ａと床面５５の位置（距離）決めを行う脚部４５が設けられている。脚部４５は、ホーン部２２のフランジ部２２ｄに、ボルト等（図示せず）を介して固定される。また、脚部４５は、ガイド部材２５と同様に、超音波振動に与える影響を最小限に押さえるべく、シリコンのパッキン等（図示せず）を介して、フランジ部２２ｄに固定される。脚部４５は、回収溶液７の床面５５への供給、付着物５６の床面５５からの剥離、床面５５からの回収溶液７の確実な回収を行うべく、ホーンの前端部２２ａと床面５５の位置（距離）決めを行うものであって、ホーンの前端部２２ａと床面５５の距離は、０．５ｍｍ乃至０．７ｍｍになるように、脚部４５下端の接地部４５ａの位置を調整して使用する。
【００４２】
制御部９０は、超音波発振制御部７４、回収溶液供給部１１、排出液体吸引部３１等を制御して、床面５５に付着した付着物５６の洗浄回収動作を連続的にスムースに自動で行えるようにしている。
【００４３】
次に、付着物検査試料回収装置１の使用方法を説明する。
付着物５６の付着した床面５５の上部に超音波洗浄部２０ａを移動させ、超音波洗浄部２０ａの下方に検査を行う付着物５６を囲繞するとともに、床面５５とガイド部材２５の下端部２５ｃとを密着させる。
【００４４】
制御部９０の洗浄回収スタートスイッチを押圧し、洗浄回収動作をスタートさせる。制御部９０は、回収溶液供給部１１に回収溶液７を所定量（例えば５ｃｃ）供給管路１３、供給兼排出管路４３及びホーンの供給兼排出孔２２ｂを通じて、囲繞された付着物５６に向かって噴出させる。次に、制御部９０は超音波洗浄部２０ａに超音波を所定時間（例えば５秒間）照射させる。付着物５６は床面５５から剥離されるとともに、回収溶液７と付着物５６が混合され排出液体となる。制御部９０は、排出液体吸引部３１に、回収溶液７をホーンの供給兼排出孔２２ｂ、供給兼排出管路４３及び排出管路３３を通じて吸引排出させる。吸引排出された排出液体は排出液体タンク部３２に貯留される。この貯留された排出液体は回収され、シンチレータ（試薬）等を加えて放射線の強さ等が測定される。
【００４５】
また、排出液体吸引部３１に、回収溶液７を吸引排出させる場合に、連続的な吸引のみならず、断続的な吸引を行うことにより、回収溶液７の移動を大きくすることが可能であり、回収溶液７の回収をより確実に行うことも可能である。
【００４６】
排出液体タンク部３２の近傍には、排出液体の成分を分析するための排出液体分析手段を設けていてもよい。例えば、ＧＭサーベイメーター等を設置して放射線の強さを測定し、汚染状況を分析することができる。この分析結果はサンプルとして日時とともに蓄積記録されるとよい。
【００４７】
排出液体分析手段については放射性物質を取り扱う分野等では公知な技術であり、ここでは詳述しない。
【００４８】
尚、超音波洗浄部２０ａは、防護服を着用した作業者が手動で移動させてもよいが、ロボット等搬送手段、移動手段で自動的に移動できるようにしてもよい。また、安全な場所より遠隔操作ができるようにするとさらによい。
【００４９】
また、図１に示すように付着物検査試料回収装置１は、超音波発信制御部７４、制御部９０及び排出液体吸引部３１がキャスター４７付の筐体に搭載されていて、超音波洗浄部２０ａ、回収溶液供給部１１及び排出液体タンク部３２が一体になるので、持ち運びしやすく作業性が良い。また、付着物検査試料回収装置１は、筐体内にバッテリーを備えることによって、外部電源等から独立して使用することも可能である。
【図面の簡単な説明】
【００５０】
【図１】本発明による付着物検査試料回収装置の実施の形態の概要を示す全体図である。
【図２】図２は、ホーン部、脚部及びガイド部材の部分拡大図である。
【図３】図３（ａ）は、本発明による超音波ホーン部の正面図、（ｂ）は（ａ）の左側面図、（ｃ）は（ａ）に係るホーン部の底面図、（ｄ）は、（ｃ）の他の実施例を示す図である。
【図４】従来の付着物検査試料回収装置用超音波ホーン部と本発明による超音波ホーン部の傾斜した場合の対比図である。
【図５】使用時におけるホーン部、脚部及びガイド部材の部分拡大図である。
【図６】図５の他の実施例を示す図である。
【図７】特許文献１に示す従来の付着物検査試料回収装置の概要を示す全体説明図である。
【図８】図７に示す付着物検査試料回収装置の超音波洗浄部を示す図である。
【図９】図８に示す超音波洗浄部の底面図である。
【符号の説明】
【００５１】
１・・・付着物検査試料回収装置
７・・・回収溶液
１０・・・回収溶液供給手段
１１・・・回収溶液供給部
１２・・・回収溶液タンク部（回収溶液貯留部）
１３・・・供給管路
２０ａ・・・超音波洗浄部
２１・・・超音波振動子部
２２・・・ホーン部
２２ａ・・・前端部
２２ｂ・・・供給兼排出孔
２２ｂ１・・・接続孔
２２ｃ・・・溝部
２２ｄ・・・フランジ部
２５・・・ガイド部材
２５ａ・・・内端部
２５ｂ・・・接続部材
２５ｃ・・・下端部
３０・・・排出液体回収手段
３１・・・排出液体吸引部
３２・・・排出液体タンク部（排出液体貯留部）
３３・・・排出管路
４３・・・供給兼排出管路
４５・・・脚部
４５ａ・・・接地部
４７・・・キャスター
５１・・・付着物検査試料回収装置
５５・・・床面
５６・・・付着物
６０・・・回収溶液供給手段
６１・・・回収溶液供給部
６２・・・回収溶液タンク部（回収溶液貯留部）
６３・・・供給管路
７０・・・超音波洗浄手段
７０ａ・・・超音波洗浄部
７１・・・超音波振動子部
７２・・・ホーン部
７２ａ・・・前端部
７３・・・給排液ケース
７４・・・超音波発振制御部
７５・・・パッキン
８０・・・排出液体回収手段
８１・・・排出液体吸引部
８２・・・排出液体タンク部（排出液体貯留部）
８３・・・排出管路
９０・・・制御部
【図１】
2006132993.tif 000003
【図２】
2006132993.tif 000004
【図３】
2006132993.tif 000005
【図４】
2006132993.tif 000006
【図５】
2006132993.tif 000007
【図６】
2006132993.tif 000008
【図７】
2006132993.tif 000009
【図８】
2006132993.tif 000010
【図９】
2006132993.tif 000011